(57)【要約】【課題】  床面の歩行や隣室からの発生音を可及的に防禦することを可能にした床板や壁板の提供。【解決手段】  肉厚寸法を凡そ１０ｍｍとなした板材の上面に対し、肉厚寸法を２ｍｍ〜３ｍｍ程度となした衝撃吸収材と、肉厚寸法を１ｍｍ〜２ｍｍ程度となした硬質板材とを、この順序に貼着し、且つその表面に突板やオレフィン樹脂フィルムなどの化粧シートを貼着したものとする。このさい、板材はホゾ及び又はホゾ溝加工が施されてなり、化粧シートをホゾの突端まで、或いはホゾ溝の内方まで到達させるように貼着させてある。【選択図】      図１
2006002468.tif 000002
【特許請求の範囲】
【請求項１】
肉厚寸法を凡そ１０ｍｍとなした板材の上面に対し、肉厚寸法を２ｍｍ〜３ｍｍ程度となした衝撃吸収材と、肉厚寸法を１ｍｍ〜２ｍｍ程度となした硬質板材とを、この順序に貼着し、且つその表面に突板やオレフィン樹脂フィルムなどの化粧シートを貼着させたものとなしたことを特徴とするインテリア用制振板。
【請求項２】
板材はホゾ及び又はホゾ溝加工が施されてなり、化粧シートをホゾの突端まで、或いはホゾ溝の内方まで到達させるように貼着させたことを特徴とする請求項１記載のインテリア用制振板。
【請求項３】
板材の裏面に対し、肉厚寸法１ｍｍ〜３ｍｍとなした衝撃吸収材を貼着させたことを特徴とする請求項１又は２記載のインテリア用制振板。
【請求項４】
板材の巾寸法を１４０ｍｍ〜３２０ｍｍ、長さ寸法を１６００ｍｍ〜２０００ｍｍとなしたことを特徴とする請求項１，２又は３記載のインテリア用制振板。
【発明の詳細な説明】
【技術分野】
【０００１】
本発明は建築内装材として、即ち専ら床板や壁板とする板材に関する。
【背景技術】
【０００２】
現今、二世帯住宅などに於ける床板や壁板の使用では、防音や制振対策としてその肉厚を従来品とは大とするなどの工夫がなされるものとなっている。
【特許文献１】実開昭６４−２６４５０号公報
【発明の開示】
【発明が解決しようとする課題】
【０００３】
本発明は床面の歩行や隣室からの発生音を可及的に防禦することを可能とした床板や壁板に係る制振板の提供を目的とする。
【課題を解決するための手段】
【０００４】
本発明は、肉厚寸法を凡そ１０ｍｍとなした板材の上面に対し、肉厚寸法を２ｍｍ〜３ｍｍ程度となした衝撃吸収材と、肉厚寸法を１ｍｍ〜２ｍｍ程度となした硬質板材とを、この順序に貼着し、且つその表面に突板やオレフィン樹脂フィルムなどの化粧シートを貼着したものとなすのであり、このさい板材にはホゾ及び又はホゾ溝加工を施したものとなし、上記化粧シートをホゾの突端まで、或いはホゾ溝の内方まで到達させるように貼着させるものとなす。
【０００５】
このさい、板材としては専ら合板（ＭＤＦを含む）を使用するが、木材板や繊維ボード板などを使用しても良く、一方衝撃吸収材としてはウレタンフォーム、ポリオレフィン樹脂、ゴムコルク、布地などであり、他方硬質板材としてはポリプロピレン、塩ビやメラミンなどの樹脂シートを使用する。
【０００６】
而して、本発明では上記に於ける化粧シートを板材のホゾの突端まで、或いはホゾ溝の内方まで到達させるように貼着させたものとなすのであり、また板材の裏面側には肉厚寸法を１ｍｍ〜３ｍｍとなした衝撃吸収材を貼着させたりしたものとする。なお、本発明に係る制振板の全体的大きさはその巾寸法を１４０ｍｍ〜３２０ｍｍ、長さ寸法を１６００ｍｍ〜２０００ｍｍ程度となされるものである。
【発明の効果】
【０００７】
本発明品は床材として、或いは壁材として使用することにより、例え幼児らが走ったり、飛んだりしても、或いは大声を出して騒いだりするようなことがあっても、良くその振動や騒音を吸収して周囲に放散させないものとなるのである。即ち、二階や隣室などに於ける人的振動や騒音は勿論のこと、物がぶつかったり、落下したりする時に生ずる振動や音などを含めて、効率良く防禦することのできるものとなる。
【発明を実施するための最良の形態】
【０００８】
図１は本発明に係るインテリア用制振板の破断斜視図である。本図に於いて１は肉厚寸法を凡そ１０ｍｍ程度となした合板であって１ａはホゾ、１ｂはホゾ溝であり、該合板１上に対し肉厚寸法を２ｍｍ〜３ｍｍ程度となしたウレタンフォームや、ポリオレフィン樹脂或いは、ゴムやコルク材などからなる衝撃吸収材２を貼着する。而して、該衝撃吸収材２上には更に肉厚寸法を１ｍｍ〜２ｍｍ程度となしたポリプロピレン、塩ビやメラミン樹脂シートの硬質板材３を貼着させたものとなす。
【０００９】
４は上記硬質板材３の表面に貼着させる突板やオレフィン樹脂フィルムなどの化粧シートであって、貼着にさいしては、該化粧シート４の片端は図示例の如くホゾ１ａの突端まで到達するように、そして他端はホゾ溝１ｂの内方ｐまで到達するようになしてある。
【００１０】
図２は他の実施例であって、上記実施例に於ける板材１の裏面側に対し、更に肉厚寸法１ｍｍ〜３ｍｍ程度となした衝撃吸収材２’を貼着させた例である。
【００１１】
図３は上記に係る制振板を繋ぎ合わせた状態の斜視図であり、繋ぎ合わせには隣り合うホゾ１ａとホゾ溝１ｂを相互に嵌入させて結合止着が図られるようにする。
【００１２】
上記実施例はフロアー用としての使用例で巾寸法Ｓは専ら９０ｍｍ、長さ寸法Ｌは１８１８ｍｍとなしたものであるが、壁板材としての使用では巾寸法Ｓ’を３２０ｍｍ程度まで、そして長さ寸法Ｌ’は２０００ｍｍ程度とする。
【００１３】
本発明に於ける上記実施例で衝撃吸収材２の上面に対し、肉厚寸法を１ｍｍ〜２ｍｍ程度となした硬質板材３を貼着させるようにするのは、上面に貼着する化粧シート４が、板材１の巾方向の角部ｍ，ｎでへたりを生じさせないようにするためであり、即ちこれは下方にウレタンフォームなどによる衝撃吸収材２が存在するため、これに対する一定の反射踏圧が得られるようにすること、及び上記角部ｍ，ｎ箇所に対するへたりが発生したりしないようにするためである。
【００１４】
而して、本発明では化粧シート４の片端ｖは板材１のホゾ１ａ突端まで到達するように貼着させるのであり、そして他端ｗはホゾ溝１ｂの内方へまで入り込ませるように貼着するものとなすのであり、従来品に比べて隣接する化粧シート４各端部が夫々れホゾ溝内で結合止着されるものとなっていることから、突板端部の剥がれやめくれなど従来に於ける化粧シートに係る問題点が生じたりしないのであり、従って長期間に亘り傷みが生じ難く美観保持できるものとなる。
【００１５】
上記で図２に示した実施例のものは専ら壁面材としての使用が好適である。これは裏面側の衝撃吸収材２’が遮音効果を呈するからである。他方例えば物がぶつかったり、落下したりした時などに生ずる振動や発生音は前側の衝撃吸収材２が吸収するものとなる。又、保湿性に優れるなどの効果も呈するものとなるのである。
なお、床材としての使用では足音や踏圧振動が短時間に収斂し、且つ音の発生源が可及的に防止されるものとなすことができる。
【図面の簡単な説明】
【００１６】
【図１】本考案に係るインテリア用制振板の破断斜視図である。
【図２】他の実施例である。
【図３】上記制振板の繋ぎ合わせ状態斜視図である。
【符号の説明】
【００１７】
１      板材
１ａ    ホゾ
１ｂ    ホゾ溝
２，２’    衝撃吸収材
３      硬質板材
４      化粧シート
【図１】
2006002468.tif 000003
【図２】
2006002468.tif 000004
【図３】
2006002468.tif 000005